(57)【要約】【課題】多数の支持部品を伴うことなく機能部材を設置することができ、なお且つ、排水性を良好に維持することができる、屋根葺き材の提供。【解決手段】屋根葺き材１は、鉛直方向Ｙに対して傾斜する屋根の設置基準面３に対して傾斜する平面部１１と、平面部の傾斜方向上側端部１１ａから設置基準面に近づくように下方に延びる押え部１３と、平面部の傾斜方向下側端部１１ｂから設置基準面から離れるように上方に延びる山部１５とを備え、平面部、押え部及び山部は、屋根葺き材における重力方向上側端部１ａから重力方向下側端部１ｂにわたって延びている。【選択図】図２
2015010445.tif 000002
【特許請求の範囲】
【請求項１】
鉛直方向に対して傾斜する屋根の設置基準面に対して傾斜する平面部と、
前記平面部の傾斜方向上側端部から前記設置基準面に近づくように下方に延びる押え部と、
前記平面部の傾斜方向下側端部から前記設置基準面から離れるように上方に延びる山部とを備えた屋根葺き材であって、
前記平面部、前記押え部及び前記山部は、該屋根葺き材における重力方向上側端部から重力方向下側端部にわたって延びている、
屋根葺き材。
【請求項２】
前記平面部には、下方に突出して前記設置基準面に達する溝部が設けられており、
前記溝部は、該屋根葺き材における重力方向上側端部から重力方向下側端部にわたって延びている、
請求項１の屋根葺き材。
【請求項３】
屋根葺き対象と屋根葺き材とを接続する、少なくとも２態様の接続具をさらに備え、
第１態様の前記接続具は、前記平面部の傾斜方向上側端部に設けられており、
第２態様の前記接続具は、前記平面部における前記溝部寄りに設けられている、
請求項２の屋根葺き材。
【請求項４】
谷部をさらに備え、
前記谷部は、前記平面部の傾斜方向下側端部に設けられた前記山部から、該平面部との反対側に連なっている、
請求項１〜３の何れか一項の屋根葺き材。
【請求項５】
前記平面部の上に、機能部材が載置されている、
請求項１〜４の何れか一項の屋根葺き材。
【請求項６】
前記機能部材は太陽電池シートである、
請求項５の屋根葺き材。
【発明の詳細な説明】
【技術分野】
【０００１】
本発明は、屋根葺き材に関するものである。
【背景技術】
【０００２】
近年、太陽光発電システムや緑化システム等の機能部材を、屋根葺き材に付加させるケースが増加してきている。機能部材を屋根葺き材に付加させようとした場合、屋根葺き材の強度を如何にして確保するかという問題がある。
【０００３】
一方、既存建築物において多く採用させている屋根葺き材としては、例えば非特許文献１に開示されているような凹凸が繰り返された形状のスレート波板がある。
【先行技術文献】
【非特許文献】
【０００４】
【非特許文献１】“技術資料  スレート波板”、［online］、せんい強化セメント板協会（ＳＫＣ協会）、［平成２５年４月３日検索］、インターネット＜ＵＲＬ：http://www.skc-kyoukai.org/products/shiryou.html＞
【発明の概要】
【発明が解決しようとする課題】
【０００５】
しかしながら、上述したスレート波板のような形状の屋根葺き材に、太陽光発電システム等の機能部材を設置した場合、機能部材を安定的に支持することは容易ではない。
【０００６】
一方、機能部材を支持するための金具や下地要素等の部品を多量に用いれば、機能部材の支持は安定するものと想定されるが、部品製造コストや部品管理コストの増大、重量の増加、設置作業の複雑化・長時間化等、新たに多数の付随する問題が発生する恐れがある。
【０００７】
さらに、機能部材を付加するために、屋根葺き材が単純形状から乖離してくると、雨水が溜る部位が生じる等、排水性が悪化する懸念がある。
【０００８】
本発明は、このような事情に鑑みてなされたものであり、多数の支持部品を伴うことなく機能部材を設置することができ、なお且つ、排水性を良好に維持することを含む屋根葺き材の本来の機能を備えた、屋根葺き材を提供することを目的とする。
【課題を解決するための手段】
【０００９】
上述した目的を達成するため、本発明は、鉛直方向に対して傾斜する屋根の設置基準面に対して傾斜する平面部と、前記平面部の傾斜方向上側端部から前記設置基準面に近づくように下方に延びる押え部と、前記平面部の傾斜方向下側端部から前記設置基準面から離れるように上方に延びる山部とを備えた屋根葺き材であって、前記平面部、前記押え部及び前記山部は、該屋根葺き材における重力方向上側端部から重力方向下側端部にわたって延びている。
【発明の効果】
【００１０】
本発明の屋根葺き材によれば、多数の支持部品を伴うことなく機能部材を設置することができ、なお且つ、排水性を良好に維持することを含む屋根葺き材の本来の機能を備えることができる。
【図面の簡単な説明】
【００１１】
【図１】本発明の実施の形態１に係る屋根葺き材の短手方向の断面図である。
【図２】本実施の形態１に係る屋根葺き材の施工状態を示す斜視図である。
【図３】本実施の形態１の屋根葺き材の上に、更に機能部材が載置されてなる屋根葺き材を示す断面図である。
【図４】本実施の形態１の屋根葺き材の上に、更に機能部材が載置されてなる屋根葺き材の施工状態を示す斜視図である。
【図５】本実施の形態１の屋根葺き材の上に、更に機能部材が載置されてなる屋根葺き材の施工状態を示す断面図である。
【図６】複数の重ね合わされた屋根葺き材全体の降雨の挙動の概要を示す図である。
【図７】重力方向下側端部を拡大し降雨の挙動をより詳細に示した図である。
【図８】本発明の実施の形態２に関する、図５と同態様の図である。
【発明を実施するための形態】
【００１２】
以下、本発明に係る屋根葺き材の実施の形態について添付図面に基づいて説明する。なお、図中、同一符号は同一又は対応部分を示すものとする。
【００１３】
実施の形態１．
図１は、本発明の実施の形態１に係る屋根葺き材の短手方向の断面を示し、図２は、本実施の形態１に係る屋根葺き材の施工状態を示す斜視図である。
【００１４】
図２に示されるように、施工状態では、複数の屋根葺き材１はそれぞれ、建築物の複数の母屋（屋根葺き対象）２（２ａ〜２ｄ）にわたって跨るように設置される。また、複数の屋根葺き材１同士も端部が重なり合うように配置される。
【００１５】
次に、図２の見方について説明する。図２に図示する４本の母屋２ａ〜２ｄは、水平な関係に並んでいるものではなく、高さが異なるように並んでいる。屋根を上方から平面的にみた場合に、ほぼ平行に並んでいる。
【００１６】
また、４本の母屋２ａ〜２ｄは、母屋２ａが最も高い位置にあり、母屋２ｂ、母屋２ｃ、母屋２ｄの順に徐々に低い位置にあるように配置されている。すなわち、図２に概念的に示すように、鉛直方向Ｙ（下向きが重力方向）、水平方向のうち母屋２の延びる方向をＸ（便宜上、屋根葺き材の重ね方向Ｘとも称する）、水平方向のうちＸ及びＹの双方に直交する方向をＺ（便宜上、奥行き方向Ｚと称する）としたとき、４本の母屋２ａ〜２ｄが並ぶ方向は、符号Ｌで示すように、水平方向である、重ね方向Ｘや奥行き方向Ｚに対して傾斜している。よって、これら複数の母屋２の上に符号３で示す仮想面を置いた場合、その仮想面もまた、水平方向に対して傾斜する。かかる仮想面を、屋根の設置基準面３と称する。
【００１７】
以上をふまえたうえで、屋根葺き材１の構成について詳細に説明する。図１は、図２のＩ−Ｉ線に沿う断面であり、傾斜方向Ｌを垂線とする断面を示す。本実施の形態１に係る屋根葺き材１は、例えば、金属薄板又はＦＲＰ等の軽量材料で構成されており、平面部１１と、押え部１３と、山部１５と、谷部１７とを備えている。
【００１８】
平面部１１は、鉛直方向Ｙに対して傾斜している設置基準面３に対して、傾斜して延びている。平面部１１の傾斜の向きは、押え部１３側が高く（設置基準面３から離れ）、山部１５側が低くなる（設置基準面３に近づく）向きである。
【００１９】
押え部１３は、平面部１１の傾斜方向上側端部１１ａから設置基準面３に近づくように下方に延びている。押え部１３における平面部１１の反対側は、概ね、設置基準面３に沿って延びている。より詳細には、押え部１３における平面部１１の反対側は、平面部１１から離れるにつれて設置基準面３から少しずつ離れるように延びている。また、押え部１３は、概ね下向きに突出している。
【００２０】
山部１５は、平面部１１の傾斜方向下側端部１１ｂから、設置基準面３に対して離れるように上方に延びている。また、山部１５は、上向きに突出している。
【００２１】
谷部１７は、平面部１１の傾斜方向下側端部１１ｂに設けられた山部１５から、平面部１１との反対側に連なっている。谷部１７は、下向きに突出しており、谷部１７の下面は、設置基準面３に達している。また、一例であるが、谷部１７と山部１５とは、上下対称的な凹凸を構成している。
【００２２】
なお、本発明としては、山部１５及び谷部１７の形状を特に限定するものではなく、山谷のピッチがよりつまった湾曲・突出のきつい形状や、逆にピッチがよりひろがった湾曲の緩やかな形状でもよく、さらには、弧状またはそれに類似する形状に限らず、Ｖ字状の山谷や台形状の山谷の繰り返される形状でもよく、さらにそれ以外の形状でもよい。
【００２３】
平面部１１におけるほぼ中央（重ね方向Ｘの中央）には、下方に突出して設置基準面３に達する溝部１９が設けられている。この溝部１９も、上記山部１５及び谷部１７と同様、下方への湾曲形状は様々なものが考えられ、図示は一例である。
【００２４】
図１に示されるように、上述した、平面部１１、押え部１３、山部１５、谷部１７及び溝部１９は、屋根葺き材１における重力方向上側端部１ａ（より正確にはＬ方向上側端部）から重力方向下側端部１ｂ（より正確にはＬ方向下側端部）にわたって連続的に延びている。
【００２５】
図３は、実施の形態１の屋根葺き材の上に、更に機能部材が載置されてなる屋根葺き材を示す断面図であり、図４は、その施工状態を示す斜視図である。形態１の屋根葺き材１の平面部１１の上面には、平面の上部側終端である傾斜方向上側端部１１ａから平面の下部側終端である傾斜方向下側端部１１ｂまでの領域内に、機能部材２１が載置されている。機能部材２１は、特にその機能を限定されるものではないが、言うなれば、実施の形態１の屋根葺き材１では得られない機能が付加されたものである。例を挙げると、太陽電池シート、さらには、遮熱材料、緑化材料、発熱体を組み込んだ融雪材料等を挙げることができる。
【００２６】
ここでは、機能部材２１として太陽電池シートを例に説明する。太陽電池シートは、太陽電池（半導体の光起電力効果を利用して、太陽の光エネルギーを吸収して直接電気に変える電力機器）のひとつである。太陽電池シートは、住宅等で多用されているアルミ等の金属枠で固定され、表面にガラスが貼られた汎用の太陽電池モジュールとは異なり、太陽電池セルを芯材としてテフロン（登録商標）等の樹脂で挟み込んで一体化させた、フレキシブルで、薄膜状（厚さが薄く）の軽量なものである。
【００２７】
機能部材２１の固定態様の一例として、本実施の形態１では、貼り付け態様を挙げる。太陽電池シートは、市販されているブチルテープ等耐候性に優れた弾性系の接着テープ又は接着剤を使用して、平面部１１に貼り付け固定される。このような態様によれば、太陽電池シートと屋根葺き材１との線膨張係数が大きく異なる場合でも、上記接着テープや接着剤の弾性作用によって両材料の温度による膨張変化を緩和・吸収できる。
【００２８】
次に、主に図５を参照しながら、屋根葺き材１の重ね合わせ・固定等の屋根葺き施工状態について説明する。図５は、本実施の形態１の屋根葺き材の上に、更に機能部材が載置されてなる屋根葺き材の施工状態を示す断面図であり、図１及び図３と同方向からみた状態の図と、それを重ね方向Ｘに沿ってみた状態の図とを含んでいる。複数の屋根葺き材１はそれぞれ、機能部材２１を搭載した状態で、他の屋根葺き材１と端部同士で重ね合わされ、接続具２３ａによって、建築物の既存の母屋（屋根葺き対象）２に接続されて固定されている。
【００２９】
接続具２３ａは、平面部１１の傾斜方向上側端部１１ａに設けられている。接続具２３ａは、主に、ほぼＪ字状のフックボルト２５と、ワッシャ２７と、ナット２９とを含んでいる。
【００３０】
フックボルト２５は、重ね合わされた一対の屋根葺き材１のうちの一方の屋根葺き材１の山部１５の頂点と、他方の屋根葺き材１の押え部１３と傾斜方向上側端部１１ａとの間のあたりとを貫通する。そして、フックボルト２５のＪ字状の下端は、断面Ｃ字状の既設の母屋２に引っ掛けられる。フックボルト２５の上端は、他方の屋根葺き材１の押え部１３と傾斜方向上側端部１１ａとの間のあたりから上方に露出している。そして、このフックボルト２５の上端に、ワッシャ２７を介してナット２９が締め込まれる。これによって、所望の接続力をもって、屋根葺き材１のそれぞれが、母屋２に接続固定される。
【００３１】
なお、実際は、フックボルト２５の貫通部には、フェルト材を介在させる等の公知の止水処理がなされているものとするが、図の明瞭性を優先し、図５においては図示省略する。
【００３２】
屋根葺き材１の重ね合わせ・固定等の屋根葺き施工状態は、上述したように、リップ溝型鋼のようにＣ字状をした母屋２にＪ字状のフックボルト２５で固定する場合を一例として示した。しかし、母屋２としては、上記Ｃ字状をしたリップ溝型鋼以外にもＬ字状をした等辺もしくは不等辺のアングル鋼や、溝型鋼、線路として使用されていたレールを転用したもの、□型状をした角形鋼管、木材等が使用されている場合もある。かかる場合には、母屋２の形状等を鑑みて既往の接続具を使用することで、いずれの母屋にも屋根葺き材１を固定することが可能である。
【００３３】
次に、屋根葺き材１の重ね合わせ態様と、母屋２に対する屋根葺き材１の当接状態とについて説明する。図５に示されるように、重ね方向Ｘに隣り合う一対の屋根葺き材１同士は、一方の屋根葺き材１の山部１５が、他方の屋根葺き材１の押え部１３に上方から覆われるように押さえられて重ね合わされる。一方の屋根葺き材１の山部１５の上面と、他方の屋根葺き材１の押え部１３の下面とは、ぴったり合わさるように予め構成されている。このように山部１５と押え部１３とがぴったり合わさる関係にあることで、施工時、屋根葺き材１同士がずれることなく容易に重ね合わせの状態を得ることができる。
【００３４】
また、上述した接続具２３ａにより接続力を付与した際、屋根葺き材１のそれぞれにおいて、平面部１１の溝部１９と、平面部１１の傾斜方向下側端部１１ｂと、谷部１７とが母屋２に当接する。
【００３５】
続いて、図６及び図７に基づいて、本実施の形態１の屋根葺き材１を施工した場合の降雨の挙動について説明する。図６は、複数の重ね合わされた屋根葺き材全体の降雨の挙動の概要を示す図であり、図７は、重力方向下側端部を拡大し降雨の挙動をより詳細に示した図である。図中の矢印は、屋根に降った雨の流れを示したものである。
【００３６】
屋根葺き材１で施工した屋根に雨が降った場合、屋根葺き材１自体の傾斜（例えば平面部１１の傾斜や押え部１３の傾斜）と、屋根の傾斜（すなわち設置基準面３の傾斜）によって、水は、高所から低所へと流れ落ちる。
【００３７】
図６に示されるように、水は、巨視的には、矢印Ｇに示すように、屋根の傾斜に従って、屋根葺き材１の重力方向上側端部１ａから重力方向下側端部１ｂに向けて流下する。さらに、本実施の形態１では、平面部１１に落下した降雨は、平面部１１の傾斜に沿って、傾斜方向上側端部１１ａから傾斜方向下側端部１１ｂに向けて流れ、巨視的には、矢印Ｐに示すように、重ね方向Ｘの成分を持って流れる。
【００３８】
上述した矢印Ｇの流れは、より詳細には、矢印Ｇ１に示すように平面部１１上や押え部１３上を流下する流れや、矢印Ｇ２に示すように溝部１９を流下する流れである。すなわち、平面部１１上の水は、傾斜方向下側端部１１ｂに向けて移動しながら同時に重力方向下側端部１ｂに向けて移動するように流れ、その際に、溝部１９に捉えられた水は、そのまま溝部１９に沿って重力方向下側端部１ｂに向けて流れる。
【００３９】
また、傾斜方向下側端部１１ｂに向けてはより多くの水が集まるように流れる。このとき、万が一、重ね合わせの下位置となる屋根葺き材１の傾斜方向下側端部１１ｂの上面と、重ね合わせの上位置となる屋根葺き材１の押え部１３の下面との間に、水が浸入することがあったとしても、この侵入した水は、重ね合わせの下位置となる屋根葺き材１の山部１５を乗り越えない限り、母屋２に達することはない。特に、本実施の形態１では山部１５に連ねて谷部１７まであるので、侵入した水は、山部１５を乗り越えた後、さらに、谷部１７を構成する上向きの端部まで乗り越えない限り、母屋２には達しない。よって、漏水を防止する作用が極めて高い。
【００４０】
以上のように構成された本実施の形態１に係る屋根葺き材によれば、次のような利点が得られる。すなわち、本実施の形態１の屋根葺き材では、平面部に機能部材を載置するので、多数の付加的な支持部品を伴うことなく機能部材を安定的に支持できる。さらに、平面部を有しておりながら、その平面部が傾斜しており、且つ、平面部の傾斜方向上側端部から下方に延びる押え部と、平面部の傾斜方向下側端部から上方に延びる山部とを有していることで、平面部、押え部及び山部によって山谷が構成され、必要な強度が確保される。さらに、平面部は、傾斜する屋根の設置基準面に対して更に傾斜しているので、屋根の設置基準面の傾斜に沿う方向と、平面部の傾斜に沿う方向という、二方向から水流を促進し、水を集め、排水することができ、平面部を有しておりながら、雨水等の滞留を防止することができる。さらに、施工状態で、隣り合う一対の屋根葺き材のうちの一方の屋根葺き材の山部を、他方の屋根葺き材の押え部が、上方より覆うような状態が得られるので、万が一、他方の屋根葺き材の押え部の下側に水分が浸入したとしても、その水分は、一方の屋根葺き材の山部を乗り越えない限り、母屋に達することができないので、屋根葺き材の合わせ目からの母屋の雨水の侵入を防止することができる。
【００４１】
また、本実施の形態１では溝部が設けられているので、平面部が広範にわたって存在する場合に平面部の途中に溜りがちな水を、溝部を介して排水することができ、且つ、溝部の下面が母屋と当接することで溝部においても屋根葺き材の荷重支持を行うことができる。すなわち、溝部によって、排水性の更なる向上と屋根葺き材の支持ポイントの分散との双方を同時に図ることができる。
【００４２】
また、接続具の設置は、一方の屋根葺き材の山部及び他方の屋根葺き材の平面部の傾斜方向上側端部という、屋根葺き材における高所部で実施される。このため、フックボルトのような貫通部材を伴う接続態様において、止水処理による漏水防止効果だけでなく、より水の溜りにくいところで接続することによる漏水防止効果も得られる。
【００４３】
また、平面部の傍らには山部及び谷部による山谷が形成され、この山谷の領域内で接続具による固定を行うので、これまでのスレート波板と同様な施工手順・同要領で、接続具を用いることができ、これまでの施工ノウハウを活用することができる。さらに、山谷を介した重ね合わせが可能である。よって、働き幅を調整して設計することにより、例えば、鉄道ホームの屋根への施工時のように夜間作業時間に制限がある場合などにおいて、屋根葺き材を短時間でうまく重ねることができることで、要求された時間内に作業を終了することを助けることができる。
【００４４】
さらに、本発明として特に限定する趣旨ではないが、本実施の形態１の屋根葺き材を、既設のスレート波板を部分的に残しそのスレート波板と組み合わせて施工する、葺き替え施工に実施することもできる。すなわち、現在、スレート波板を屋根材とする既存建築物は、例えば工場、倉庫、鉄道ホームの上家等、数多く存在する。そして、築３０年以上の建築物もたくさんあり、それらは、屋根材の更新の時期に来ている。一般には、葺き替えは、除去した古いスレート波板と材質こそ異なる場合もあるが基本的には同様な形状のスレート波板を用いる。ここで、葺き替えのタイミングで、機能部材を搭載させようとした場合、一般のスレート波板に対して新たに下地材が必要になる。このため、建築物設計時に想定した固定荷重以上の重量が付加されることとなり、設計荷重以下になるように機能付加システムを軽量化するか、建築物の構造補強をする必要があり、コスト増大や工期の長期化が生じる問題がある。このような背景のもと、本実施の形態１の屋根葺き材１を葺き替え施工に実施すれば、葺き替え時に建築物の構造補強や下地材増設等の工程が必要なく、スレート波板と同等の作業性と性能とを確保して、機能部材を載置することができる。
【００４５】
なお、その場合には、予め既設のスレート波板の大波スレートと組み合わせることを想定し、上述した山部１５及び谷部１７は、想定している大波スレートと組み合わせた際、その大波スレートの山谷とぴったり重ね合わさるような形態に構成しておくものとする。
【００４６】
実施の形態２．
次に、本発明の実施の形態２について説明する。図８は、本実施の形態２に関する、図５と同態様の図である。なお、本実施の形態２は、以下に説明する部分を除いては、上述した実施の形態１と同様であるものとする。
【００４７】
本実施の形態２に係る屋根葺き材１は、母屋（屋根葺き対象）２と屋根葺き材１とを接続する、少なくとも２態様の接続具を備えている。第１態様の接続具は、すなわち、上述した接続具２３ａであり、平面部１１の傾斜方向上側端部１１ａに設けられている。第２態様の接続具２３ｂは、平面部１１における溝部１９寄りに設けられている。第２態様の接続具２３ｂは、一例として、図８では、平面部１１における溝部１９の傾斜方向下側に配置されているが、これに限らず、溝部１９の傾斜方向上側に配置されていてもよい。
【００４８】
第２態様の接続具２３ｂは、上述した接続具２３ａとほぼ同様な構成でよく、主に、接続具２３ａのものより長さが短いほぼＪ字状のフックボルト２５と、ワッシャ２７と、ナット２９とを含んでいる。
【００４９】
このような本実施の形態２によっても、上述した実施の形態１の場合と同様な利点が得られる。さらに、本実施の形態２では、押え部、傾斜方向上側端部、山部及び谷部のところだけでなく、溝部においても、母屋と屋根葺き材との接合力を十分にかけることができ、強風時等の下方からの風圧に対して、屋根葺き材をより強固に保持することができ、バタつきを抑制する効果が極めて高くなる。また、母屋と屋根葺き材との間の確実な当接ポイントをより多数確保することができ、さらに、接続具一本あたりが負担する接続維持荷重を低減することができる。
【００５０】
以上、好ましい実施の形態を参照して本発明の内容を具体的に説明したが、本発明の基本的技術思想及び教示に基づいて、当業者であれば、種々の改変態様を採り得ることは自明である。
【００５１】
例えば、本実施の形態１及び２では、山部における平面部との反対側に、谷部を設けているが、本発明は、これに限定されず、谷部を省略して実施することも可能であろう。
【００５２】
また、本発明に係る屋根葺き材は、上述した母屋（屋根材を止めつけるための土台）を、胴縁（壁を止めつけるための土台）に置き換えて適用することにより、外装材として実施することも可能である。その際、胴縁は、縦方向にもうける縦胴縁でも横方向に設ける横胴縁のいずれでもよい。例えば機能部材として太陽電池シートが用いられる外装材として実施した場合、本発明では屋根葺き材の平面部には傾斜がついているため、壁のような垂直面に太陽電池を設置する場合に比べ、わずかではあるが太陽の方向を向くように施工することができるため、垂直壁面設置時に比べて発電量を稼ぐことができるメリットがある。
【符号の説明】
【００５３】
１  屋根葺き材、１ａ  重力方向上側端部、１ｂ  重力方向下側端部、２  母屋（屋根葺き対象）、３  設置基準面、１１  平面部、１１ａ  傾斜方向上側端部、１１ｂ  傾斜方向下側端部、１３  押え部、１５  山部、１７  谷部、１９  溝部、２１  機能部材、２３ａ  第１態様の接続具、２３ｂ  第２態様の接続具。
【図１】
2015010445.tif 000003
【図２】
2015010445.tif 000004
【図３】
2015010445.tif 000005
【図４】
2015010445.tif 000006
【図５】
2015010445.tif 000007
【図６】
2015010445.tif 000008
【図７】
2015010445.tif 000009
【図８】
2015010445.tif 000010